(57)【要約】【課題】ワイヤハーネスを効率よく固定できるとともに、比較的コンパクトで、かつ汎用性に富むワイヤハーネス固定構造を提供する。【解決手段】断面コ字状の壁面５によって形成される収容室２ａ内にワイヤハーネスＷを収容するプロテクタ本体２と、このプロテクタ本体２に、壁面５から所定距離をおいて壁面５に沿って配設される固定板９とを有するワイヤハーネス保護用プロテクタと、長尺な帯状のバンド部１１と、このバンド部１１の基端に設けられ、バンド部１１の先端側が挿通されてバンド部１１を係止可能なロック部１２とを有する結束バンド８とから構成され、ワイヤハーネスＷを固定板９に当接させた状態で、収容室２ａの壁面５とワイヤハーネスＷとの間の隙間に結束バンド８のバンド部を挿入し、固定板９とともにワイヤハーネスＷを結束バンド８によって結束する。【選択図】図１
2010004606.tif 000002
【特許請求の範囲】
【請求項１】
断面コ字状の壁面によって形成される収容室内にワイヤハーネスを収容するプロテクタ本体と、
このプロテクタ本体に、該壁面から所定距離をおいて該壁面に沿って配設される固定板とを有するワイヤハーネス保護用プロテクタと、
長尺な帯状のバンド部と、
このバンド部の基端に設けられ、前記バンド部の先端側が挿通されて前記バンド部を係止可能なロック部とを有する結束バンドとから構成され、
前記ワイヤハーネスを前記固定板に当接させた状態で、
前記収容室の前記壁面と該ワイヤハーネスとの間の隙間に前記結束バンドの前記バンド部を挿入し、
該固定板とともに該ワイヤハーネスを前記結束バンドによって結束することを特徴とするワイヤハーネス固定構造。
【請求項２】
請求項１記載のワイヤハーネス固定構造において、
前記プロテクタ本体の開口端を覆うカバーと、
このカバーに前記結束バンドのロック部が挿入される貫通孔とを設けたことを特徴とするワイヤハーネス固定構造。
【発明の詳細な説明】
【技術分野】
【０００１】
本発明は、自動車等に設けられるワイヤハーネスを収容して外部との干渉から保護するワイヤハーネス保護用プロテクタによるワイヤハーネス固定構造に関する。
【背景技術】
【０００２】
この種の従来のワイヤハーネス保護用プロテクタを用いたワイヤハーネスの固定構造として、特許文献１に開示されたものがある。このワイヤハーネス保護用プロテクタ１００は、図３および図４に示すように、ワイヤハーネスＷを収容するプロテクタ本体１０１と、このプロテクタ本体１０１の開口端１０２を覆うカバー１０３とから構成され、専用の結束バンド１０４によりワイヤハーネスＷが固定されている。結束バンド１０４の一端は、プロテクタ本体１０１のプレート部１０５に設けられる貫通孔１０６により係止されている。結束バンド１０４の他端側は、プロテクタ本体１０１の他のプレート部１０７に設けられるロック部１０８により係止されるとともに、開口部１０９より外部へ突出するようになっている。
【０００３】
上記構成によれば、あらかじめ結束バンド１０４の一端をプレート部１０５の貫通孔１０６で係止した後、ワイヤハーネスＷをプロテクタ本体１０１に収容してプレート部１０５，１０７に当接させるとともに、結束バンド１０４をワイヤハーネスＷの周囲に巻き掛けて、結束バンド１０４の他端側を他のプレート部１０７のロック部１０８で係止して開口部１０９より外部へ突出させることによって、ワイヤハーネスＷをプロテクタ本体１０１内部で固定することができる。
【特許文献１】特開平１１−３１３４２９号公報
【発明の開示】
【発明が解決しようとする課題】
【０００４】
しかしながら、特許文献１のワイヤハーネスの固定構造にあっては、プロテクタ本体１０１が図示しない治具上にセットされた状態では、プロテクタ本体１０１内のワイヤハーネスＷの周囲に結束バンド１０４を巻き掛けてワイヤハーネスＷを固定することや、プロテクタ本体１０１にカバー１０３を取り付けて寸法調整を行なった後、結束バンド１０４を本締めすることが難しいという問題があった。また、プロテクタ本体１０１のプレート部１０７内側にロック部１０８を設けるため、プロテクタ本体１０１の容積が増加してプロテクタ本体１０１が大型化するという問題があった。さらに、専用の結束バンド１０４が必要であるために汎用性が乏しく、かつ、あらかじめ結束バンド１０４の一端をプレート部１０５の貫通孔１０６で係止する必要があることから手間が掛かるという問題もあった。
【０００５】
そこで、本発明は、前記した課題を解決すべくなされたものであり、プロテクタ本体内にワイヤハーネスを結束バンドによって結束する際に、ワイヤハーネスをプロテクタ本体内で効率よく固定することができるワイヤハーネス固定構造を提供することを目的とする。
【課題を解決するための手段】
【０００６】
請求項１の発明は、断面コ字状の壁面によって形成される収容室内にワイヤハーネスを収容するプロテクタ本体と、このプロテクタ本体に、該壁面から所定距離をおいて該壁面に沿って配設される固定板とを有するワイヤハーネス保護用プロテクタと、長尺な帯状のバンド部と、このバンド部の基端に設けられ、前記バンド部の先端側が挿通されて前記バンド部を係止可能なロック部とを有する結束バンドとから構成され、前記ワイヤハーネスを前記固定板に当接させた状態で、前記収容室の前記壁面と該ワイヤハーネスとの間の隙間に前記結束バンドの前記バンド部を挿入し、該固定板とともに該ワイヤハーネスを前記結束バンドによって結束することを特徴とする。
【０００７】
請求項２の発明は、請求項１記載のワイヤハーネス固定構造において、前記プロテクタ本体の開口端を覆うカバーと、このカバーに前記結束バンドのロック部が挿入される貫通孔とを設けたことを特徴とする。
【発明の効果】
【０００８】
請求項１の発明によれば、プロテクタ本体に内蔵される固定板にワイヤハーネスを当接し、プロテクタ本体と固定板との間に結束バンドを挿通させて、結束バンドを固定板とともにワイヤハーネスの周囲に巻き掛けて締め込む。
【０００９】
これによって、ワイヤハーネスをプロテクタ本体内で効率よく固定することが可能である。
【００１０】
また、長尺な帯状のバンド部と、このバンド部の基端に設けられ、バンド部の先端側が挿通されるとともにバンド部を係止可能なロック部とから構成された一般的な結束バンドを用いたので、汎用性に富みつつ、低コストなプロテクタが得られる。
【００１１】
請求項２の発明によれば、結束バンドをワイヤハーネスの周囲に巻き掛けて、結束バンドのバンド部をロック部に挿通して仮止め程度に締め込んだ後、プロテクタ本体にカバーを装着するとともに、カバーの貫通孔に結束バンドのロック部を挿入して、バンド部の先端側を前記貫通孔から突出させる。
【００１２】
これにより、ワイヤハーネスの取付寸法が公差内に入るように位置調整を行なった後、結束バンドのバンド部を締め込んで結束バンドを本締めすることができる。
【００１３】
また、カバーの貫通孔に結束バンドのロック部が挿入されるので、従来例のようにプロテクタ本体内にロック部を設ける場合と比べて、プロテクタ本体の容積を少なくしてコンパクト化を図ることできる。
【発明を実施するための最良の形態】
【００１４】
以下、本発明の一実施形態を図面に基づいて説明する。図１および図２は本発明の一実施形態を示し、図１はワイヤハーネス保護用プロテクタの断面図、図２はワイヤハーネス保護用プロテクタの斜視図である。
【００１５】
図１および図２に示す本願のワイヤハーネス保護用プロテクタ１は、ワイヤハーネスＷを収容するプロテクタ本体２と、このプロテクタ本体２の開口端３を覆うカバー４とから主として構成されている。
【００１６】
プロテクタ本体２は、基板部５と、基板部５の両端にそれぞれ立設される側板部６，７とからなる断面コ字状の壁面によって、内部に収容室２ａが形成されるとともに、結束バンド８によりワイヤハーネスＷが結合される固定板９を基板部５に内蔵している。固定板９は、結束バンド８の後述するバンド部１１の厚みを越える所定の間隔を開けてプロテクタ本体２の基板部５より離隔した状態で基板部５に沿って配設されている。また、基板部５の固定板９下方には貫通孔１０が設けられている。また、カバー４には、後述する結束バンド８のロック部１２が挿入される貫通孔１３が設けられている。
【００１７】
結束バンド８は、主に柔軟性を有する樹脂材によって形成されており、長尺な帯状のバンド部１１と、バンド部１１の基端に設けられ、バンド部１１の先端側が挿通されるとともにバンド部１１を係止可能なロック部１２とから構成されている。
【００１８】
上記構成において、プロテクタ本体２の収容室２ａにワイヤハーネスＷを収容し、プロテクタ本体２内の固定板９にワイヤハーネスＷを装着した後、固定板９および基板部５の間に一方の側（図１の左側）から結束バンド８のバンド部１１の先端を送り込んで他方の側（図１の右側）へ通過させる。さらに、結束バンド８を前記一方の側から送り込んでワイヤハーネスＷの外周に沿って移動させることにより、結束バンド８をワイヤハーネスＷの周囲に巻き掛けて、結束バンド８のバンド部１１をロック部１２に挿通して仮止め程度に締め込む。
【００１９】
次いで、図１および図２に示すように、プロテクタ本体２にカバー４を装着して開口端３を覆うとともに、カバー４の貫通孔１３に結束バンド８のロック部１２を挿入して、バンド部１１の先端側を貫通孔１３から突出させる。次いで、ワイヤハーネスＷの取付寸法が公差内に入るように位置調整を行なった後、結束バンド８のバンド部１１を締め込むことにより本固定し、バンド部１１のうちロック部１２より突出する先端部分を切り落とすことにより、ワイヤハーネスＷの取付作業を終了する。
【００２０】
上記構成によれば、固定板９上にワイヤハーネスＷを載せるとともに、固定板９および基板部５の間に結束バンド８のバンド部１１を挿通させてワイヤハーネスＷの周囲に結束バンド８を巻き掛けることができるので、プロテクタ本体２内にワイヤハーネスＷを収容して効率よく固定することが可能である。
【００２１】
また、上記構成によれば、結束バンド８のロック部１２を挿入される貫通孔１３をカバー４に設けたので、プロテクタ本体２にカバー４を取り付けて寸法調整を行なった後、結束バンド８を本締めすることができるとともに、従来例のようにプロテクタ本体内にロック部を設ける場合と比べて、プロテクタ本体２の容積を少なくしてコンパクト化を図ることができ、カバー４の貫通孔１３を介して結束バンド８の固定状態を目視確認することもできる。また、長尺な帯状のバンド部１１と、このバンド部１１の基端に設けられ、バンド部１１の先端側が挿通されるとともにバンド部１１を係止可能なロック部１２とから構成された一般的な結束バンド８を用いたので、汎用性に富むプロテクタ１が得られ、かつ、従来例のように結束バンドの一端をあらかじめプレート部の貫通孔で係止する必要がないので、その分の手間を少なくすることができる。
【図面の簡単な説明】
【００２２】
【図１】本発明の一実施形態を示し、ワイヤハーネス保護用プロテクタの断面図である。
【図２】本発明の一実施形態を示し、ワイヤハーネス保護用プロテクタの斜視図である。
【図３】従来例のワイヤハーネス保護用プロテクタを示す斜視図である。
【図４】従来例のワイヤハーネス保護用プロテクタを示す断面図である。
【符号の説明】
【００２３】
１…プロテクタ
２…プロテクタ本体
３…開口端
４…カバー
５…壁面（基板部）
８…結束バンド
９…固定板
１１…バンド部
１２…ロック部
１３…貫通孔
Ｗ…ワイヤハーネス
【図１】
2010004606.tif 000003
【図２】
2010004606.tif 000004
【図３】
2010004606.tif 000005
【図４】
2010004606.tif 000006